(57)【要約】【課題】塵芥収容箱の床端部と塵芥投入箱の底板上端部との接続部分に段差がある場合でも、塵芥収容箱内の汚水の排出性を高め、塵芥収容箱内部に汚水が溜まらないようにする。【解決手段】塵芥投入箱３の底板部３ｂに設けた汚水タンク連通孔から排出された汚水を蓄える汚水タンクを有する塵芥収集車において、底板部３ｂにおける塵芥収容箱２側上端部に塵芥投入箱３の底板部３ｂ内面側と塵芥収容箱２とを連通する汚水排出孔２５を貫通して形成する。この汚水排出孔２５は、塵芥収容箱２の床端部と塵芥投入箱３の底板部３ｂとの当接部分に設けられた漏水防止用シール部材２３よりも上方に配設される。【選択図】図１
2015160691.tif 000002
【特許請求の範囲】
【請求項１】
車台上に設けられた塵芥収容箱と、該塵芥収容箱の後方開口部に連設された塵芥投入箱と、該塵芥投入箱の底板部の下部に設けられると共に、汚水タンク連通孔から排出された汚水を蓄える汚水タンクとを備えた塵芥収集車において、
上記塵芥投入箱は、上記底板部における上記塵芥収容箱側上端部に貫通して形成されると共に、該塵芥投入箱の該底板部内面側と上記塵芥収容箱とを連通する汚水排出孔を有し、
上記汚水排出孔は、上記塵芥収容箱の床端部と上記塵芥投入箱の底板部との当接部分に設けられた漏水防止用シール部材よりも上方に配設されている
ことを特徴とする塵芥収集車。
【請求項２】
請求項１に記載の塵芥収集車において、
上記汚水排出孔は、上記塵芥投入箱の底板部の車両幅方向端部に設けられている
ことを特徴とする塵芥収集車。
【請求項３】
請求項１又は２に記載の塵芥収集車において、
上記塵芥収容箱の後方床端部には、後方に向かって下方へ傾斜する収容箱側テーパ面が形成され、
上記塵芥投入箱の底板部の上端部には、塵芥収容箱側にフロントメンバが設けられ、
上記フロントメンバの下部には、後方に向かって下方へ傾斜する投入箱側テーパ面が形成され、
上記収容箱側テーパ面と上記投入箱側テーパ面との間に汚水を汚水排出孔へと導く導水路が形成されている
ことを特徴とする塵芥収集車。
【請求項４】
請求項３に記載の塵芥収集車において、
上記フロントメンバには、上記投入箱側テーパ面の前端に連設されて上方に延びる塵芥移動規制面が設けられている
ことを特徴とする塵芥収集車。
【請求項５】
請求項３又は４に記載の塵芥収集車において、
上記収容箱側テーパ面の下端の高さ位置に汚水排出孔が設けられている
ことを特徴とする塵芥収集車。
【請求項６】
請求項１から５のいずれか１つに記載の塵芥収集車において、
上記漏水防止用シール部材は、弾性体からなり、
上記塵芥投入箱の底板部には、上記漏水防止用シール部材よりも上方かつ汚水排出孔の近傍下方の位置に、上記塵芥収容箱の床端部に当接する当接部材が設けられている
ことを特徴とする塵芥収集車。
【請求項７】
請求項１から６のいずれか１つに記載の塵芥収集車において、
上記塵芥投入箱の底板部には、上記漏水防止用シール部材よりも下方位置に、該漏水防止用シール部材と上記塵芥収容箱の床端部との隙間から漏れ出た汚水を受け止める樋部が取り付けられている
ことを特徴とする塵芥収集車。
【発明の詳細な説明】
【技術分野】
【０００１】
本発明は、車台上に設けられた塵芥収容箱と、この塵芥収容箱の後方開口部に連設された塵芥投入箱とを備えた塵芥収集車に関し、特にその汚水の排出構造に関する。
【背景技術】
【０００２】
従来より、例えば、特許文献１のように、塵芥投入箱の下部に汚水収容装置を設けることが行われている。この汚水収容装置は、塵芥積込時に塵芥の圧縮で塵芥投入箱内に発生する汚水の貯留、及び、塵芥収容箱内に貯留される汚水が何等かの原因で外部へ漏出した場合に当該汚水の地上への落下を防止するもので、塵芥収容箱の開口後部の下端にパッキンを設けると共に、塵芥収容箱から外部に漏出する汚水を、塵芥投入箱の前面壁に設けた汚水受けで受け、排水管を通じて塵芥投入箱の下端に設けた汚水タンク内に収容するようにしている。
【先行技術文献】
【特許文献】
【０００３】
【特許文献１】実用新案登録第２５０２９８７号公報（特に図５及び図６）
【発明の概要】
【発明が解決しようとする課題】
【０００４】
しかしながら、従来の塵芥収集車では、塵芥収容箱の床端部と塵芥投入箱の底板上端部との接続部分に段差があり、塵芥収容箱内で発生した汚水は塵芥収容箱内に溜まったままの状態となる。特に、塵芥積込装置に回転板と押込板とを有する塵芥収集車について、通常ダンプ排出方式となっている排出方式を排出板によって排出する方式に変更した場合には、上記段差はより大きくなる場合がある。すると、塵芥排出前に塵芥収容箱内で発生した汚水を抜くことができないので処理費用が余分にかかったり、塵芥排出時に塵芥収容箱から流れ出る汚水が飛散する等の問題が発生する。
【０００５】
本発明は、かかる点に鑑みてなされたものであり、その目的とするところは、塵芥収容箱の床端部と塵芥投入箱の底板上端部との接続部分に段差がある場合でも、塵芥収容箱内の汚水の排出性を高め、塵芥収容箱内部に汚水が溜まらないようにすることにある。
【課題を解決するための手段】
【０００６】
上記の目的を達成するために、この発明では、塵芥収容箱の汚水を直接的に塵芥投入箱へ導くようにした。
【０００７】
具体的には、第１の発明では、車台上に設けられた塵芥収容箱と、該塵芥収容箱の後方開口部に連設された塵芥投入箱と、該塵芥投入箱の底板部の下部に設けられると共に、汚水タンク連通孔から排出された汚水を蓄える汚水タンクとを備えた塵芥収集車を前提とする。
【０００８】
そして、上記塵芥投入箱は、上記底板部における上記塵芥収容箱側上端部に貫通して形成されると共に、該塵芥投入箱の該底板部内面側と該塵芥収容箱とを連通する汚水排出孔を有し、
上記汚水排出孔は、上記塵芥収容箱の床端部と上記塵芥投入箱の底板部との当接部分に設けられた漏水防止用シール部材よりも上方に配設されている。
【０００９】
上記の構成によると、塵芥収容箱の床端部と塵芥投入箱の底板上端部との接続部分に段差があり、塵芥収容箱側に汚水が溜まりやすくなっていても、汚水排出孔を通して塵芥収容箱内の汚水が塵芥投入箱側に流れ込み、その底板部に形成した汚水タンク連通孔を通して汚水タンクに溜められる。このため、塵芥の排出の際に塵芥投入箱を上方回動させても塵芥収容箱から一気に汚水があふれ出すということがなく、作業性に優れる。また、塵芥収容箱内の汚水は、漏水防止用シール部材によって塵芥投入箱の外へ漏出するのが防止され、漏水防止用シール部材よりも上方の汚水排出孔から塵芥投入箱の底板内側に汚水が確実に案内される。これにより、スムーズに汚水を汚水タンクに収容することができる。
【００１０】
第２の発明では、第１の発明において、
上記汚水排出孔は、塵芥投入箱の底板部の車両幅方向端部に設けられている。
【００１１】
すなわち、塵芥投入箱の底板部は、塵芥を押し込むための塵芥積込機構の回転板又は押込板と対向しているが、回転板又は押込板の積込動作によって塵芥が汚水排出孔に詰まってしまうおそれがある。しかし、上記構成によると、汚水排出孔を、塵芥が押し込まれにくい底板部の車両幅方向端部に設けることによって、この詰まりが抑制される。
【００１２】
第３の発明では、第１又は第２の発明において、
上記塵芥収容箱の後方床端部には、後方に向かって下方へ傾斜する収容箱側テーパ面が形成され、
上記塵芥投入箱の底板部の上端部には、塵芥収容箱側にフロントメンバが設けられ、
上記フロントメンバの下部には、後方に向かって下方へ傾斜する投入箱側テーパ面が形成され、
上記収容箱側テーパ面と上記投入箱側テーパ面との間に汚水を汚水排出孔へと導く導水路が形成されている。
【００１３】
上記の構成によると、別途配管を取り付けるのと比較して汚水を導くための流路を簡単に形成することができる。また、導水路が後方に向かって下方へ傾斜する形状なのでスムーズに汚水が塵芥投入箱へ導かれる。
【００１４】
第４の発明では、第３の発明において、
上記フロントメンバには、上記投入箱側テーパ面の前端に連設されて上方に延びる塵芥移動規制面が設けられている。
【００１５】
上記の構成によると、塵芥の積込により塵芥が圧縮されても塵芥移動規制面により塵芥の逆流が抑制され、塵芥が導水路に進入するのを防ぐことができる。
【００１６】
第５の発明では、第３又は第４の発明において、
上記収容箱側テーパ面の下端の高さ位置に汚水排出孔が設けられている。
【００１７】
上記の構成によると、汚水が導水路の先端付近で溜まることがなく、汚水をスムーズに排水
することができる。
【００１８】
第６の発明では、第１から第５のいずれか１つの発明において、
上記漏水防止用シール部材は、弾性体からなり、
上記塵芥投入箱の底板部には、上記漏水防止用シール部材よりも上方かつ汚水排出孔の近傍下方の位置に、塵芥収容箱の床端部に当接する金属製の当接部材が設けられている。
【００１９】
上記の構成によると、当接部材により、汚水が当接部材よりも下方に流れることが抑制されるとともに、汚水排出孔へと汚水をスムーズに導くことができる。
【００２０】
第７の発明では、第１から第６のいずれか１つの発明において、
上記塵芥投入箱の底板部には、上記漏水防止用シール部材よりも下方位置に、漏水防止用シール部材と塵芥収容箱の床端部との隙間から漏れ出た汚水を受け止める樋部が取り付けられている。
【００２１】
上記の構成によると、異物の噛み込み等、何等かの原因で漏水防止用シール部材から汚水が外へ漏れ出たとしても樋部により汚水を受け止めることができる。これにより、より確実に汚水が地上に落下するのを防ぐことができる。
【発明の効果】
【００２２】
以上説明したように、本発明によれば、塵芥投入箱の底板部における塵芥収容箱側上端部の漏水防止用シール部材よりも上方に塵芥投入箱と塵芥収容箱とを連通する汚水排出孔を貫通形成したことにより、塵芥収容箱の床端部と塵芥投入箱の底板上端部との接続部分に段差がある場合でも、塵芥収容箱内の汚水の排出性を高め、塵芥収容箱内部に汚水が溜まらないようにすることができる。
【図面の簡単な説明】
【００２３】
【図１】汚水排出孔及びその周辺を拡大して示す断面図である。
【図２】本発明の実施形態に係る塵芥投入箱及び塵芥収集箱を示す側面図である。
【図３】塵芥投入箱を示す断面図である。
【図４】図３をIV方向から見た矢視図である。
【発明を実施するための形態】
【００２４】
以下、本発明の実施形態を図面に基づいて説明する。
【００２５】
図２は、本発明の実施形態の塵芥収集車の塵芥収容箱２及び塵芥投入箱３を示す。これら塵芥収容箱２及び塵芥投入箱３は、図示省略した走行可能な車両の車台上に搭載される。塵芥投入箱３は、塵芥収容箱２の後方開口部２ａに連設されており、回動軸３ａを中心に上方へ回動可能となっている。塵芥収容箱２内には、前端に設けた排出シリンダ４ａを伸縮させることで前後に移動可能な排出板４が設けられ、塵芥収容箱２内の塵芥を塵芥投入箱３側へ押し出して排出可能となっている。
【００２６】
塵芥投入箱３内には、例えば油圧駆動される塵芥積込装置１０が設けられ、この塵芥積込装置１０は、塵芥投入箱３の底部に基端を中心として回転自在に設けられた回転板１１と、回転板１１の上部に前後に、揺動シリンダ１２によって揺動自在に設けられた押込板１３とを備えている。そして、回転板１１の回転動作と押込板１３の揺動動作との協働によって塵芥投入箱３に投入された塵芥を圧縮して塵芥収容箱２に積込むようになっている。また、塵芥収容箱２の床板２ｂと塵芥投入箱３の底板部３ｂの上端部との間で段差Ｈが設けられている。
【００２７】
そして、図３に示すように、塵芥投入箱３の下端には、例えばその底板部３ｂの最も低い位置に貫通形成した汚水タンク連通孔１６を通って排出された汚水を貯留する汚水タンク１５が設けられている。
【００２８】
図１に示すように、塵芥収容箱２の後方床端部には、車両幅方向に延びる補強部材であるリヤメンバ２０が設けられ、その斜め後方部分には、後方に向かって下方へ傾斜する収容箱側テーパ面２０ａが形成されている。一方、塵芥投入箱３の底板部３ｂの上端部には、塵芥収容箱２側に補強部材であって車両幅方向に延びるフロントメンバ２１が設けられ、このフロントメンバ２１の下部には、後方に向かって下方へ傾斜する投入箱側テーパ面２１ａが形成されている。これらの収容箱側テーパ面２０ａと投入箱側テーパ面２１ａとの間の隙間に汚水を導く導水路２２が形成されている。フロントメンバ２１には、投入箱側テーパ面２１ａの前端に連設されて上方に延びる塵芥移動規制面２１ｂが設けられている。本実施形態では、塵芥移動規制面２１ｂは上方に向かって若干後方へ傾斜しているが、垂直でもよい。
【００２９】
塵芥収容箱２の床端部の後面と塵芥投入箱３の底板部３ｂの前面との当接部分となる導水路２２の下方には、弾性体よりなる漏水防止用シール部材２３が車両幅方向に延びている。図４に示すように、漏水防止用シール部材２３は、車両幅方向両側では、所定高さまで上方へ延びている。漏水防止用シール部材２３は、例えばシリコンゴムなどの弾性体よりなる。これにより、塵芥収容箱２と塵芥投入箱３とが連結された状態で汚水が漏れないようにしている。
【００３０】
また、塵芥投入箱３の底板部３ｂには、漏水防止用シール部材２３よりも下方位置に、漏水防止用シール部材２３と塵芥収容箱２の床端部との隙間から何等かの原因で漏れ出た汚水を受け止める樋部２４が取り付けられている。樋部２４は、車両幅方向に水平に延び、この樋部２４に流れ込んだ汚水は、その下方の汚水タンク１５に導かれるようになっている。
【００３１】
そして、図１に示すように、塵芥投入箱３は、底板部３ｂにおける塵芥収容箱２側上端部に汚水排出孔２５が貫通して形成されている。本実施形態では、鋼板に貫通した貫通孔で汚水排出孔２５を形成しているが、例えばパイプ部材を挿通して汚水が通りやすくしてもよい。この汚水排出孔２５により、塵芥投入箱３の底板部３ｂ内面側と塵芥収容箱２とが連通している。この汚水排出孔２５は、塵芥収容箱２の床端部と塵芥投入箱３の底板部３ｂとの当接部分に設けられた漏水防止用シール部材２３よりも上方の投入箱側テーパ面２１ａの下端の高さ位置に配設されている。図４に示すように、前方から見ると、汚水排出孔２５は、塵芥投入箱３の底板部３ｂの車両幅方向左右端部にそれぞれ設けられている。本実施形態では、車両幅方向左右両側にそれぞれ２つの汚水排出孔２５を設けているが、１つ又は３つ以上設けてもよく、また、車両幅方向右側（又は左側）のみに１つ以上設けてもよい。
【００３２】
さらに、塵芥投入箱３の底板部３ｂには、漏水防止用シール部材２３よりも上方かつ汚水排出孔２５の近傍下方の位置に、塵芥収容箱２の床端部に当接する金属製の当接部材２６が設けられている。当接部材２６は、例えば、車両幅方向に延びる細長い棒状部材よりなる。
【００３３】
以上のように構成したことにより、図１に示すように、塵芥収容箱２の床端部と塵芥投入箱３の底板上端部との接続部分に段差Ｈがあり、塵芥収容箱２側に汚水が溜まりやすくなっていても、白抜き矢印で示すように、汚水排出孔２５を通して塵芥収容箱２内の汚水が塵芥投入箱３側に流れ込む。
【００３４】
塵芥投入箱３に流れ込んだ汚水は、その底板部３ｂの汚水タンク連通孔１６を通して汚水タンク１５に溜められる。
【００３５】
このため、塵芥の排出の際に塵芥投入箱３を上方回動させても塵芥収容箱２から一気に汚水があふれ出すということがなく、作業性に優れる。
【００３６】
そして、図３に示すように、塵芥投入箱３の底板部３ｂは、回転板１１と対向しているので、回転板１１の積込動作によって押さえ付けられた塵芥が汚水排出孔２５に詰まってしまうおそれがある。しかし、本実施形態では、汚水排出孔２５を、塵芥が車両幅方向中央に比べて押し込まれにくい底板部３ｂの車両幅方向左右端部に設けたので、この詰まりを抑制することができる。
【００３７】
また、塵芥収容箱２内の汚水は、漏水防止用シール部材２３によって塵芥投入箱３の外へ漏出するのが防止され、漏水防止用シール部材２３よりも上方の汚水排出孔２５から塵芥投入箱３の底板部３ｂ上に汚水が確実に案内される。これにより、スムーズに汚水を汚水タンク１５に収容することができる。
【００３８】
また、汚水排出孔２５の近傍下方に当接部材２６を設けたことにより、汚水が当接部材２６よりも下方に流れることが抑制されるとともに、汚水排出孔２５へと汚水をスムーズに導くことができる。しかも、収容箱側テーパ面２０ａの下端の高さ位置に汚水排出孔２５を設けたので、汚水が導水路２２の先端付近で溜まることがなく、スムーズに排水することができる。
【００３９】
そして、漏水防止用シール部材２３から汚水が外へ漏れ出たとしても樋部２４により汚水を受け止めることができるので、より確実に汚水が地上に落下するのを防ぐことができる。
【００４０】
本実施形態の導水路２２によれば、別途配管を取り付けるのと比較して汚水を導くための流路を簡単に形成できる。また、導水路２２が後方に向かって下方へ傾斜する形状なのでスムーズに汚水を塵芥投入箱３へ導くことができる。
【００４１】
また、塵芥の積込により塵芥が圧縮されても塵芥移動規制面２１ｂにより塵芥の逆流が抑制され、塵芥が導水路２２に進入して導水路２２を塞ぐのを効果的に防ぐことができる。
【００４２】
したがって、本実施形態に係る塵芥収集車によると、塵芥収容箱２の床端部と塵芥投入箱３の底板上端部との接続部分に段差Ｈがある場合でも、塵芥収容箱２内の汚水の排出性を高め、塵芥収容箱２内部に汚水が溜まらないようにすることができる。
【００４３】
（その他の実施形態）
本発明は、上記実施形態について、以下のような構成としてもよい。
【００４４】
すなわち、上記実施形態では、回転板式の塵芥投入箱３を示したが、塵芥積込装置１０は、摺動板及び圧縮板を備えた圧縮式のものとしてもよいし、先端の軌跡が略カージオイド曲線を描く押込板を有するものとしてもよい。
【００４５】
また、上記実施形態では、汚水排出孔２５の近傍下方に当接部材２６を設けたが、汚水排出孔は、当接部材の側方に設けるようにしてもよい。
【００４６】
なお、以上の実施形態は、本質的に好ましい例示であって、本発明、その適用物や用途の範囲を制限することを意図するものではない。
【産業上の利用可能性】
【００４７】
以上説明したように、本発明は、塵芥収集車について有用である。
【符号の説明】
【００４８】
２      塵芥収容箱
２ａ    後方開口部
２ｂ    床板
３      塵芥投入箱
３ａ    回動軸
３ｂ    底板部
４      排出板
４ａ    排出シリンダ
１０      塵芥積込装置
１１      回転板
１２      揺動シリンダ
１３      押込板
１５      汚水タンク
１６      汚水タンク連通孔
２０      リヤメンバ
２０ａ    収容箱側テーパ面
２１      フロントメンバ
２１ａ    投入箱側テーパ面
２１ｂ    塵芥移動規制面
２２      導水路
２３      漏水防止用シール部材
２４      樋部
２５      汚水排出孔
２６      当接部材
Ｈ      段差
【図１】
2015160691.tif 000003
【図２】
2015160691.tif 000004
【図３】
2015160691.tif 000005
【図４】
2015160691.tif 000006